(57)【要約】  本願発明は、カセット受容ケース（２０）及び前記ケース内の前記カセットを解放可能に固定するように適合されたロック装置（３０）を備えたカセット（１１）のための盗難防止セーファー（１０）に関し、前記カセット受容ケースは２つの部分のケースである。
2010520843.tif 000002
【特許請求の範囲】
【請求項１】
カセット（１１）のための盗難防止セーファー（１０）であって、
カセット受容ケース（２０）及び該ケース内の前記カセットを解放可能に固定するように適合されたロック装置（３０）を備え、
カセット受容ケース（２０）は２つの部分のケースであり、第１カセット受容部分（２０ａ）及び第２カセット受容部分（２０ｂ）を備え、
両部分は前記ケースの中の前記カセットを固定するための前記ロック装置を一緒に解放可能にロックするように適合されており、
前記カセット受容部分（２０ａ、２０ｂ）は前記ケース（２０）を形成するために組立後に、前記ロック装置（３０）が前記セーファー（１０）の閉じた状態でロックされるときカセット固定位置、並びに、前記ロック装置（３０）が前記セーファー（１０）の開いた状態でロックされないときカセット解放若しくは挿入中、の双方に、常に一緒に結合されることを特徴とするカセット（１１）のための盗難防止セーファー（１０）。
【請求項２】
前記ケース形成及びカセット受容部分（２０ａ、２０ｂ）は移動可能に相互に連結されており、前記部分は、前記ロック装置（３０）がロックされないとき、前記セーファー（１０）の開いた状態で互いに関し反対向きに配置可能であって、並びに、前記ロック装置がロックされるとき前記セーファーの閉じた状態で互いに関し固定されていることを特徴とする請求項１に記載の盗難防止セーファー（１０）。
【請求項３】
前記第１カセット受容部分（２０ａ）は前記２つのカセット受容部分（２０ａ、２０ｂ）が移動する方向に延在し、かつ、前記第２カセット受容部分（２０ｂ）の雄部材（２２）に対向する雌部材（２１）を有し、前記雌及び雄部材は反対方向に配置可能な相互接続で構成されることを特徴とする請求項１又は請求項２に記載の盗難防止セーファー（１０）。
【請求項４】
雌（２１）及び雄（２２）部材が一緒に中間ケースバック（２３）を形成することを特徴とする請求項３に記載の盗難防止セーファー（１０）。
【請求項５】
前記ロック装置（３０）は、前記カセット受容ケース（２０）の統合された部分であることを特徴とする請求項１〜４のいずれか１つに記載の盗難防止セーファー（１０）。
【請求項６】
前記ロック装置（３０）は前記カセット受容ケースバック（２３）の統合された部分であることを特徴とする請求項４に記載の盗難防止セーファー（１０）。
【請求項７】
ロック装置（３０）がロックされる場合とロック装置がロックされない場合の両方で、カセット受容部分（２０ａ、２０ｂ）はロック装置及び保持装置（４０）の間の係合により一緒に結合されることを特徴とする請求項１〜６のいずれか１つに記載の盗難防止セーファー（１０）。
【請求項８】
前記カセット受容部分（２０ａ、２０ｂ）の１つは、前記部分を一緒に保持するために他の部分上の前記ロック装置（３０）との係合のための保持装置（４０）を備えることを特徴とする請求項７に記載の盗難防止セーファー（１０）。
【請求項９】
前記部材（２１、２２）の１つは、前記部分を一緒に保持するために他の部材上の前記ロック装置（３０）との係合のための前記保持装置（４０）を備えることを特徴とする請求項３又は請求項７に記載の盗難防止セーファー（１０）。
【請求項１０】
前記２つの部分のケース（２０）の前記部分（２０ａ、２０ｂ）のそれぞれは、実質的にＴの形状を有することを特徴とする請求項１〜９のいずれか１つに記載の盗難防止セーファー（１０）。
【請求項１１】
前記２つの部分のケース（２０）の前記部分（２０ａ、２０ｂ）のそれぞれは、実質的にＬの形状を有することを特徴とする請求項１〜１０のいずれか１つに記載の盗難防止セーファー（１０）。
【請求項１２】
請求項３に従属する場合に、前記雌及び前記雄部材（２１、２２）は前記形状の脚を形成することを特徴とする請求項１１に記載の盗難防止セーファー（１０）。
【請求項１３】
前記２つの部分のケースは有窓ケースであることを特徴とする請求項１〜１２のいずれか１つに記載の盗難防止セーファー（１０）。
【請求項１４】
前記カセット受容部分（２０ａ、２０ｂ）のそれぞれは、少なくとも１つのカセットの角を受容するためのカセット囲み部材（２４）を備え、そのカセット囲み部材は、閉じられた三角形の２つの小さな側を備えた直角三角形と、カセットの角を受容するための三角形の斜辺に沿ってカセット角受容開口とを有するキャビティを形成することを特徴とする請求項１〜１３のいずれか１つに記載の盗難防止セーファー（１０）。
【請求項１５】
前記カセット受容部分（２０ａ、２０ｂ）のそれぞれは、少なくとも１つのカセット側を受容するためのカセット囲み部材（２４）を備え、そのカセット囲み部材はＵ字形及び閉じた端部を有し、前記カセット側及びその隣接するコーナーがそれによって囲まれることができるようにすることを特徴とする請求項１〜１４のいずれか１つに記載の盗難防止セーファー（１０）。
【請求項１６】
電子商品監視（ＥＡＳ）タグを備えることを特徴とする請求項１〜１５のいずれか１つに記載の盗難防止セーファー（１０）。
【請求項１７】
盗難防止セーファー（１０）のためのカセット受容部分（２０ａ、２０ｂ）であって、前記カセット受容部分（２０ａ）が請求項１〜１６のいずれか１つによる２つの部分のカセット受容ケース（２０）の第１カセット受容半体（２０ｂ）であることを特徴とする盗難防止セーファー（１０）のためのカセット受容部分（２０ａ、２０ｂ）。
【請求項１８】
盗難防止セーファー（１０）のためのカセット受容部分（２０ａ、２０ｂ）であって、前記カセット受容部分（２０ｂ）が請求項１〜１６のいずれか１つによる２つの部分のカセット受容ケース（２０）の第２カセット受容半体（２０ａ）であることを特徴とする盗難防止セーファー（１０）のためのカセット受容部分（２０ａ、２０ｂ）。
【発明の詳細な説明】
【技術分野】
【０００１】
本発明は、安全装置、すなわち、カセット受容ケースと、該ケースの中にカセットを解放可能に固定するために適合されるロック装置とを備える、カセットのための盗難防止セーファー（ｓａｆｅｒ）に関する。カセット受容ケースは、第１カセット受容部品及び第２カセット受容部品を備えた２つの部分から成るケースであり、両部分は、ケースを形成するために、ロック装置と共に解放可能に互いにロックするよう適合されている。
【背景技術】
【０００２】
現在、例えば、平行六面体形をしたカセット、特にＣＤ、ＤＶＤ、ビデオテープ、コンピューターゲーム及びゲームコンソール、等に使用するためのカセットを固定するためにセーファーが使用されている。セーファーはカセットに搭載される安全装置であり、カセットは権限を与えられた人物によりセーファーから取り出すことのみが可能であり、カセット盗難、すなわち、それらに対して対価を支払うことなくショップからカセットを取り出すことを防止するため、セーファーはショップ及びモールで使用される。この目的のために、もしセーファーがショップ若しくはモールの一定の区域から移動されれば、セーファーは、アラームの引き金になる構成要素を備える。商品を保護する場合、コストを伴うセキュリティの等級と、外観的アピール、すなわち消費者がパッケージを買う前にパッケージの内容を見ることができることを望むこととのバランスを取らなければならない。商品を保護するためと同時に内容を示すために、いくつかの解決、例えば、カセットを受けるケースと、解放可能にケースにカセットを固定するように適応されるロックする装置とを有するロック可能な透明な箱、を使用することはよく知られている。そのような箱またはケースは、例えば、特許文献１で明らかにされる。この解決策は、外側の追加のケースの形で盗難防止セーファーを備えたカセットを供給することによって、カセット、パッケージまたは箱が、盗難防止未許可の人によって開けられること、すなわち不正開封されることから保護する手段を提供する。しかし、この既知の解決は、異なる材料でできているいくつかの別々のアイテムを備えた複雑な装置、例えば、ケースから取外し可能かつ分離可能である別々のカバーの形態のロック装置、を必要とする。それらのアイテムは、カセットセーファーケースを形成するためにいくつかのステップで一緒に集められ、かつ、この既知の盗難防止セーファーケースを作るために一緒に機能しなければならない。さらに、そのような従来技術のセーファーは、セーファーに入れるときカセットは狭い開口に挿入されなければならないので、取り扱うのが難しく、その中への挿入の前にカセットを導く案内手段がなく、カセットをセーファーケースに挿入するとき、及び、セーファーケースからカセットを取り出すとき、複雑な操作を必要としている。これは、既知のセーファーは、少なくとも２つの別々の部品で形成され、それらは個々に保持、操作されなければならず、特にセーファーがケースと舌の形態のロック装置とを持っているという事実による。特許文献１では、ケースと、該ケース上の蓋を形成する取外し可能なカバーとは、カセットをロックした状態では互いに接続されない。ケース及びカバーは、単一のユニットを形成するもので、換言すれば、両者は互いに対して移動可能ではあるが、使用時において常時連結されているわけではない。このため、カセットをケースから取り出す際、あるいはカセットに挿入する際、ルーズな蓋カバーの扱いが複雑となっている。さらにまた、既知のセーファーは、セーファーが分離されて集められる場合に、別々の且つゆるい部品のため使用中多くの努力、及びセーファーケースが、場合によっては、完全に少なくとも3面を囲んで��かなければならないという事実のための多くの材料を必要とする。そのような解決も、カセットを望ましい範囲にさらすために、しばしば透明なセーファーケースを必要とする。そのような解決も、特定のカセットに関して特定の寸法を有する、セーファーケースとロック装置を必要とする。このため、たとえば、ＣＤセーファーケースの在庫がなく、必要な場合であっても、ＤＶＤカセットのためのセーファーケースでＣＤ−カセットをしっかりと保持することはできない。さらに、従来技術のセーファーケースが壊れれば、セーファーケースがワンピース・アイテムであるという事実のために全部のケース交換する必要がある。したがって、従来技術によるセーファーは、製造すること、一緒にすること、維持することが高価であり、嵩張り、不必要なスペースを占有する。より詳しくは、セーファーが開かれ、且つカセットを受容するために分解され、又は新しいカセットでそれを再び積む前に部品において空のセーファーとして貯蔵されることになっている場合に、分離し且つゆるい部品を有するこれらの従来技術のセーファーは、扱うのが面倒であり、例えば、売られることになっているカセットを開けて、取り外した後に、個々にこのセーファーの別の且つゆるい部品を貯蔵する場合に、会計にあるキャッシャーの両方の手が占められ又は使われる。
【先行技術文献】
【特許文献】
【０００３】
【特許文献１】欧州特許出願公開第１０７０４７３号明細書
【発明の概要】
【発明が解決しようとする課題】
【０００４】
従って、本発明の全般的な目的は、盗難防止及び不正開封防止セーファーの形態の安全装置のために単純化した構造を提供することであり、それはロック装置を備えた２つの部品のケースを含む。
【０００５】
この目的は、さらなる目的と同様に、本明細書により当業者には明らかであり、それに続くものは、上で参照される種類の安全装置による発明に沿って達成され、それは独立請求項の特徴により特徴付けられる。発明のさらなる特徴は従属項で画定される。
【０００６】
本願発明の安全装置は、ケースを受容するカセットと、ケースにカセットを解放可能に固定するために適合されたロック装置とを備えるカセットのための盗難防止セーファーの手段により、この目的を満たす。ケースは第１カセット受容部品及び第２カセット受容部品を備える２つの部品のケースであり、その部品はケース中のカセットを固定するためのロック装置と一緒に解放可能に固定するように適合される。カセット受容部品は、ケースを形成するための組立後、ロック装置がロックされておりセーファーが閉まった状態にある場合、カセット固定位置にあるのと、ロック装置がロックされてなくセーファーが開放状態にある場合、カセット解放又は挿入の間の両方で、いつも、一緒に結合される。
【０００７】
盗難防止セーファーの一実施形態において、ケース形成部品及びカセット受容部品は、移動可能に相互接続され、これらの部品は、ロック装置がロックされていないとき、セーファーの開放状態で互いに関して反対方向に配置でき、及び、ロック装置がロックされているときセーファーの閉鎖状態で互いに関して固定される。
【０００８】
別の実施形態において、第１カセット受容部品は、２つのカセット受容部品が動作する方向に延在し、かつ、第２カセット受容部品の雄部材に対向する雌部材を有し、その雌及び雄部材は反対方向に配置可能な相互接続で構成される。
【０００９】
さらに別の実施形態において、雌及び雄部材が一緒に中間ケースバックを形成する。
【００１０】
また別の実施形態において、ロック装置は、カセット受容ケースの統合された部品であり、並びに、１つの他の実施形態において、ロック装置はカセット受容ケースバックの統合された部品である。
【００１１】
１つの実施形態において、ロック装置がロックされる場合とロック装置がロックされない場合の両方で、カセット受容部品はロック装置及び保持装置の間の係合により一緒に結合される。
【００１２】
さらに別の実施形態において、カセット受容部品の１つは、部品を一緒に保持するために他の部品上のロック装置との係合のための保持装置を備え、そして別の実施形態において、部材の１つは、部品を一緒に保持するために他の部品上のロック装置との係合のための保持装置を備える。
【００１３】
１つの実施形態の２つの部品のケースの部品のそれぞれは、実質的にＴの形状又は、別の実施形態では、Ｌの形状を有し、その形状で、さらに別の実施形態において、雌及び雄部材はその形状の脚を形成する。
【００１４】
また別の実施形態において、２つの部品のケースは有窓ケースである。
【００１５】
さらに、１つの実施形態のカセット受容部品のそれぞれは、少なくとも１つのカセットコーナーを受容するためのカセット囲み部材を備え、そのカセット囲み部材は、閉じられた三角形の２つの小さな側を備えた直角三角形とカセットの角を受容するための三角形の斜辺に沿ってカセット角受容開口とを有する窪みを形成する。別の実施形態において、カセット受容部品のそれぞれは、少なくとも１つのカセット側を受容するためのカセット囲み部材を備え、そのカセット囲み部材はＵ−プロファイル形状及び閉じた端部を有し、カセット側及びその隣接する角がそれによって囲まれることができるようにする。
【００１６】
さらに、別の実施形態の盗難防止セーファーは電子商品監視（an electronic article surveillance: ＥＡＳ）タグを備える。
【００１７】
その上、本発明による盗難防止セーファーのためのカセット受容部品は、カセット受容部品は２つの部品のカセット受容ケースの第１カセット受容半分であるという点で特徴付けられる。さらに、本発明による盗難防止セーファーのためのカセット受容部品は２つの部品のカセット受容ケースの第２カセット受容半体であるという点で特徴付けられる。
【００１８】
本発明によれば、カセットのための改善された安全装置は、カセットのための安全装置の操作、取り扱い及び組立てを単純化し、安全装置の安全性の程度を高め、及び安全装置を形成するために必要とされる別々の構成要素の数を減少させる。さらに、発明した安全装置は、特に製造するのに、安価であり、重さが軽く、それにより本安全装置を輸送するためのコストが減少し、特に異なる寸法を持つカセットに、適合可能である。安全装置は、装置を形成するために組み立てられるべき構成要素の数を減少させ、それによって組立て及び維持が単純化され、このために関連コストが減少され、そして、装置のための構成要素の貯蔵が単純化される。さらに、２つの部品ケースを備えた安全装置を提供することにより、もし壊れた場合従来技術のセーファーケースではケース全体が置き換えられなければならないのと比較して、１つの部品が置き換えられなければならないのみである。本発明は、ケース全体が２つの相補的な部品又は半体により形成されるという事実によりセーファーの取り扱いをも単純化するものであり、それは組立後に、常に結合され、一緒に保持されて、すなわち、一緒に組み立てられた後には、部品又は半体は分離不可能となり、それにより例えば緩い部品が失われることが無く、新しいカセットの再積み込み前に空のセーファーが保存される場合に、又は発明のセーファーにカセットを固定するときに、緩い部品が導入されてはならず、或いは狭い開口を備えた別の部品に合致してはならない。これは、従来技術のセーファーと比較して、個別且つ緩いセーファー部品が除去されるので、発明のセーファーの取り扱いの単純化により、会計におけるキャッシャーの時間及び努力を節約する。
本発明は、実施形態の例を参照して、及び添付の図面を参照して、下により詳しく記載される。
【図面の簡単な説明】
【００１９】
【図１】その中にカセットを固定してロックされた状態の本発明によるセーファーの実施形態の異なる斜視図を示す図である。
【図２】その中にカセットを固定してロックされた状態の本発明によるセーファーの実施形態の異なる斜視図を示す図である。
【図３】その中にカセットを固定してロックされた状態の本発明によるセーファーの実施形態の異なる斜視図を示す図である。
【図４】ロックされた状態であるが、カセットなしで空になっている本願の発明の実施形態の2つの側面図と正面図を示す図である。
【図５】図4の中の発明の実施形態の斜視図である。
【図６】図4のロックされた状態にある発明の異なる拡大率の線AAに沿った断面図である。
【図７】ロックがかかってない状態にあって、かつ、カセットがなく空である発明が示された図4の本願発明の実施形態の2つの側面図と正面図を示す図である。
【図８】図7に従う発明の斜視図である。
【図９】図７のロックされた状態にない発明の異なる拡大率の線AAに沿った断面図である。
【図１０】本願の発明の別の実施形態の第１部品の2つの側面図と正面図を示す図である。
【図１１】図１０の発明の実施形態の斜視図である。
【図１２】本願の発明のさらに別の実施形態の第２部品の2つの側面図と正面図を示す図である。
【図１３】図１２の発明の実施形態の斜視図である。
【図１４】本願発明の他の実施形態の概略正面図である。
【図１５】本願発明の他の実施形態の概略正面図である。
【図１６】本願発明の他の実施形態の概略正面図である。
【図１７】本願発明の他の実施形態の概略正面図である。
【図１８】本願発明の他の実施形態の概略正面図である。
【図１９】本願発明の他の実施形態の概略正面図である。
【図２０】本願発明の他の実施形態の概略正面図である。
【図２１】本発明により完全にセーファーを開いて端部位置に寄せられた第１及び第２部品を備えたカセット解放又は導入状態にある図７〜図９の発明の１つの正面図、１つの上からの図、１つの側面図及び１つの上からの断面図である。
【図２２】図２１の発明の実施形態の斜視図である。
【図２３】ロックされた又は閉まった状態並びにロックされていない又は開放された状態の両方の発明のロック装置の断面の概略図である。
【発明を実施するための形態】
【００２０】
図１〜図３を参照して、本願発明の実施形態の斜視図は、異なる角度から示され、そこには通常の本発明による安全又は盗難防止装置が１０として示されている。安全装置１０は、カセット受容ケース２０及びケース中にカセットを解放可能に固定するために適合されたロック装置３０を備えたカセット／箱１１のための盗難防止及び開封防止セーファーである。カセット１１は、ＣＤ、ＤＶＤのための箱、又は任意の他の貯蔵手段であり、それは任意の正方形形状及び任意の適した寸法であるが好ましくは平行六面体であり且つ２つの平坦な側面を備え、すなわち、１つの前面及び１つの後面、並びに４つの狭い側面、その狭い側面はもちろん図１〜図３に示すこれらの狭い側面よりも薄くても厚くてもよく、また寸法に関して、すなわち、２つの平らな面の寸法についても同様である。平坦な面は、図示されている矩形の代わりに方形であってもよく、平坦な面は図１〜図３に示されているＤＶＤ箱１１の代わりにＣＤ箱に適合されていてもよく、又はケース２０は、いくつかのＣＤ若しくはＤＶＤを備えたＣＤ若しくはＤＶＤ箱に適合されていてもよく、例えば、図示された厚みの２倍の厚みを有する２つのＣＤ若しくはＤＶＤ、図示された厚みの３倍の厚みを有する３つのＣＤ若しくはＤＶＤ、又は実施形態に示された厚みの４倍以上の厚みを有する４つ以上のＣＤ若しくはＤＶＤ、又は購入のための箱の包みを展示するための任意の他の媒体貯蔵箱、又は任意の他の適した寸法及び形状を有する。さらに、ケース２０は、もし望めば、ＤＶＤ箱、すなわち、カセット１１、の図示される長い側面の代わりに、短い側面をも包んでもよい。
【００２１】
本発明によるカセット受容ケース２０は第１カセット受容部分２０ａ及び第２カセット受容部分２０ｂを備える２つの部分から成るケースであり、それら２つの部分は１つのユニットとしてケースを形成するためのロック装置３０を一緒に備えて解放可能にロックするように適合される。これらの部分２０ａ、２０ｂは互いに他の可動部品に関して２つであり、その部分はケースの組立後にセーファー１０がロックされていない状態にある場合でさえ常に一緒に結合されて非分離可能ユニットを形成する。これは、２つのカセット受容部品２０ａ、２０ｂは２つのケース半体でことを意味している。すなわち、ケース２０は、第１半体２０ａ及び第２半体２０ｂに分けられ、それら半体は、２つの部分からなるケース２０内のカセット１１を固定するためのロック装置３０と一緒に働き、かつ、組立後に非分離可能全体ケース２０を形成する。
【００２２】
本発明の実施形態によれば、ロック装置３０は、従来のセーファーとは異なる配置とされ、かつ、ケース２０の統合された部品である。ロック装置は、ケースを形成するための２つのケース部分２０ａ、２０ｂを、以下の双方の状況において分離可能及び／又は解放可能に相互ロックする。一つは、カセットを保持し且つ固定するためのロック装置がセーファー１０の閉鎖された状態でロックされるカセット固定位置での相互ロックであり、一つは、セーファーが開放状態にあってロック装置がロックされていないときの、カセットの解放／再移動中又は挿入／導入中における相互ロックである。ロック装置３０はそこで間接的に、すなわち任意の別の且つ追加のラッチ部材（示されていない）又は従来技術のセーファーのような分離可能なカバー又は蓋なしで、またカセット１１を固定する。従来技術のラッチ部材及びカバーはカセットに接触し、ロック装置３０により直接的に影響され且つ制御される。本願のロック装置３０は、ケースそれ自体により、すなわち、２つの部分のケースにより、追加のラッチ若しくは戻り止め部材又は従来技術のセーファーのような分離カバー若しくは蓋を不要にする。
【００２３】
本発明によると、ケース形成及びカセット受容部分２０ａ、２０ｂは移動可能に相互接続され、それらの部分は、ロック装置３０が解放されて（図７〜図９に示されるように）セーファー１０を開くときに、カセット１１の導入又は除去を可能にするために互いに関して反対方向に配置可能であり、そしてロック装置がロックされ（図４〜図６に示されるように）セーファーを閉じるときにカセットを保持し固定するために互いに関して固定される。ただし、これの部分２０ａ、２０ｂは、セーファーが開いた状態にあって、.互いに関して移動可能な統合された部分として常に接続され又は一緒に接合される。
【００２４】
本発明に従ったケース２０の構成は、ケースの少なくとも１つの寸法を調節可能とする。これにより、小さめの箱、つまり高さあるいは幅といった寸法の一つが、当該ケースが適用される箱よりもサイズ的に小さい箱であった場合でも、限度はあるが、何とか保持することができる。これはもしＣＤ箱のためのセーファーケース２０がストアで在庫切れである場合に、ＣＤ箱の高さは小さい一方ＣＤ箱の幅及び厚さはＤＶＤ箱の幅及び厚さと近いので、ＤＶＤ箱のためのセーファーケース２０が使用されることができることを意味し、ＣＤ箱はケース２０内で、より長い又は高いＤＶＤ箱に適合されたケース２０の長い側と平行な方向に、スライドするが、しかし、それらの間に、すなわち長い側の間に、固定されて保持されるように、ＣＤ箱はセーファー２０によりしっかりと保持されることができるように、２つのケース形成及びカセット受容部分２０ａ、２０ｂは互いに関して反対方向に配置されるという事実による。
【００２５】
第１カセット受容部分２０ａは、２つのカセット受容部分２０ａ、２０ｂの動き方向に延在しかつ第２カセット受容部分２０ｂの雄部材２２と向かい合う雌部材２１を有しており、これら雌及び雄部材は、互いに反対方向に移動させることにより接続することができるよう構成されている。一実施形態において、双方の部分は共に中間ケースバック２３を形成する（図２〜図１４参照）。双方の部分２１、２２の１つ、すなわちそれらのうちの一方は、ロック装置がロックされたときに他方の部分を固定するためのロック装置３０を備える。ロック装置３０は好ましくはケースバック２３に配置されかつ統合されるが、もしケースバックが前部として配置される場合には、もちろんその前部に配置されてもよい。ただし、これは前部はカセット１１の包み表面の可視性を悪化させることを意味しており、前部は透明な材料、好ましくはプラスチックに作られるのがよい。
【００２６】
ロック装置３０は第１カセット受容部分２０ａの雌部材２１に配置されるが、等しく第２カセット受容部分２０ｂの雄部材２２に配置されてもよい。ロック装置３０は金属製の２つのバネ舌片（spring leaf tongue）を備え、これらバネ舌片は外部マグネット（図２３に破線でロックされていない場合及び連続線でロックされている場合が示されている）により、閉じたセーファー状態、すなわちこれらバネ舌片がケース２０のキャビティ３１と係合した図１〜図６、図１４〜図２０、及び図２３に示す係合及びロック状態から、開放されたセーファー状態、すなわち図７〜図９及び図２１〜図２３に示されている解放及び非ロック状態に操作される。ここで、前記キャビティ３１は、第２ケース部分２０ｂの雄部材２２内に形成されるが、該キャビティ３１はメス部材２１に配置してもよい。タン３０及びキャビティ３１の配置の構造は、ロック及びロックしないＣＤ及びＤＶＤ箱向けのセーファー２０の既知の機能であり、さらに詳細に説明することはしないが、以下に説明するように従来技術とは異なっている。
【００２７】
セーファー１０の１実施形態において、カセット受容部分２０ａ、２０ｂはロック装置がロックされるとき及びロック装置がロックされないときの両方で、ロック装置３０及び保持装置４０の間の係合により共に結合され、これは概略的に図２３に示される。一実施例では、この保持装置４０は、部分２０ａ、２０ｂ又は部材２１、２２の１つに、変化する深さを備えたいくつかの溝としてキャビティ３１を形成することにより、提供される。示された実施形態において、ロックタン３０のペア及び溝３１のペアは、力ずくの万引きの試みに対してよりよく耐えるためにペアで互いに係合する。一実施形態では、２つのペアの溝３１が使用される。別の実施形態において、溝のそれぞれのペアは、タン３０のペアが、第１ペアの溝３１と対向することができ、かつ図２３の左に示されるように、ロック装置３０が閉鎖されたセーファー状態にロックされるとき（カセット受容部分２０ａ、２０ｂがカセット固定位置で互いにできるだけ閉じて配置されるとき）、この第１ペアの溝と係合し、第２ペアの溝３１に対向し、及び図２３の右に示されるように、ロック装置３０が開いたセーファー状態でロックされないとき（カセット受容部分２０ａ、２０ｂがカセット開放及び受容位置で互いにできるだけ遠くに配置されるとき）、この第２ペアの溝と係合するように配置される。一実施形態において溝は、側方、すなわちケースバック２３の平面内で見たとき、実質的に楔形状断面を有する。好ましい実施形態において、ロック装置３０は、その舌片により、対応する溝３１の後方縁後部又は後縁あるいは踵部に係合又は当接する。このようにして、カセット受容部分２０ａ、２０ｂは、非分離可能に、すなわち、図２３の右に示されるように、組立後に部分を引き離そうとしても互いから分かれることができないように、なっている。
【００２８】
好ましい実施形態において、保持装置４０は段階的に徐々に変化する深さを備える溝３１を有する。これは、一実施形態において、各溝は、原理上、異なる高さ又は深さ（溝がどの方向から見られるかに依存する）を備えた２つの後方縁又はかかと部を有することを意味し、これによりロック装置３０は、ロック状態では低い又は浅い１つのペアの後方縁と係合し、かつ、ロックされない状態では高い又は深い別のペアの後方縁と係合し、部分２０ａ、２０ｂは互いからできるだけ離れて引かれる。溝３１の間の後方縁の高さ又は深さのこの差は、ケース２０のために非分離機能を提供している。というのは、ロック装置の舌片は、図２３の左に示すように高さの低い後方縁の第１のペアから舌片が外れたロックされていないときには該分離装置の磁気力により常に一定の距離で引かれており（図２３の一点鎖線に示されている）、かつ、部分２０ａ、２０ｂは、図２３の右に示すように、舌片が別の高さ、すなわちより大きい高さを有する第２ペアの後方縁と係合するまで移動するからである（一つの舌片に対して一つの縁）。
【００２９】
保持装置４０の別の実施形態は、一緒に組み立てられるときに、雌部材２１の中に挿入されるべき雄部材２２の自由端に溝３１の代わりに、２つのフック２７の形態で、図１２に示される。ここに、雄部材は、図９に示される１つのものの中よりも長い長さを有し、セーファー１０はロック装置３０をロックしないことにより開放されて、且つ、部材２１、２２が引き離されて分離される場合に、フック２７は最大移動で雌部材２１の開口に当接又は係合し、それにより雄部材は雌部材からのさらなる移動を妨げ、それから引き離されることはできない。
【００３０】
本発明の別の実施形態において、図１４及び図２０のセーファー１０の正面図に概略的に示されているように、２つのカセット受容部分２０ａ、２０ｂが構成されて、カセット１１の少なくとも２つの角を包み、その角は互いに対して対角的に配置される。さらに、別の実施形態が図１５〜図１６に示され、そこでは１つの実施形態はカセット１１の第１側面を、第１カセット側の反対の位置にある第２カセット側をしっかりと包むように構成された第２カセット受容部分２０ｂを備えた第１カセット側の隣接する角を、及びロック装置３０がロックされるとき少なくとも１つの角を、しっかりと包むように構成される第１カセット受容部分２０ａを有する。図１７において、実施形態が示され、そこではカセット１１の全ての４つの角が包まれる。図１４〜図１７の実施形態はカセット受容部分２０ａ、２０ｂを示し、各部分は少なくとも１つのカセットの角を受容するための少なくとも１つのカセット包み部材２４を備え、そのカセット包み部材は、本質的に閉じた三角形の２つの小さな側を備えた直角三角形の形状を有するキャビティ及びカセットの角を受容するための三角形の斜辺に沿ってカセット角受容開口を形成する。図１８において、カセット包み部材２４は、１つの側で丸められ、及び図２０においては材料を節約するために三角形の代わりにＬ又はＶの形状になっている。これらの実施形態はセーファー１０を製造するための材料を減少させることができれば好ましく、その場合それと一緒に関連するコストが減少する。このデザインは、プラスチック材料を節約し、安全装置１０の重量を減少し、そしてカセット１１の露出を増大させ、一方、同時に、安全装置の安全性を増加させ、すなわち、それによって保護されている装置及びカセットをいじることを難しくする。
【００３１】
図１０〜図１３において、実施形態は、ケースを形成する２つのカセット受容部分２０ａ、２０ｂを示し、すなわち、図１０及び図１１は図１〜図９における右部分２０ａを、並びに、図１２及び図１３は図１〜図９における左部分２０ｂを示す。部分２０ａ、２０ｂのそれぞれは、カセット１１の平坦な側の平面に垂直に見た場合に、本質的に、１つの実施形態においてＴの形状（図１７及び図１８に示されている）又は別の実施形態においてＬの形状（図１９に示されている）を有している。それぞれの部分２０ａ、２０ｂにおける雌及び雄部材２１、２２は、さらに別の実施形態において脚の形状を形成する。雌及び雄部材２１及び２２のそれぞれは、その幅よりも薄い厚さを有し、すなわち、その厚さは薄いシート状構造を達成するために薄いことが好ましく、並びに、その幅は十分に頑丈且つ開封防止構造を作るために、例えば少なくともカセット１１の高さ又は長さの１／５若しくは１／４のように、厚いことが好ましい。部材２１及び２２の厚さは、少なくとも０．２ｍｍ、０．２〜１０ｍｍの間、好ましくは０．３〜５ｍｍ、又はさらに好ましくは０．４〜４ｍｍであることができる。本発明の１つの実施形態による２つの部分のケース２０は、有窓ケースであり、この実施形態は図１〜図９に示されるセーファーケースの有窓ケースとして概略的に図１８に示されている。別の実施形態において、２つのカセット受容部分２０ａ、２０ｂは有窓であるが、一方で中間ケースバック２３はカセット１１の平坦な側として本質的に同じ形状及び寸法を有しており、すなわち、ケースバック２３は本質的にカセットの全部のバック（示されていない）を覆うが、一方さらに別の実施形態においては、２つのカセット受容部分２０ａ、２０ｂ及び中間ケースバック２３の両方は有窓であり、すなわち、余分な材料を取り除くことによりキャビティが作られている（図２〜図５、図７〜図８、及び図１０〜図１３に示されている）。この開口部は、カセット１１の高い水準の保護を維持する一方で、プラスチック材料を節約し、並びに安全装置１０の重量を減少させる。
【００３２】
図４〜図９は、それぞれのカセット受容部分２０ａ、２０ｂが少なくとも１つのカセットの側を受容するためのカセット包み込み部材２４を備えることを示し、そこではカセット包み込み部材は、閉じた端部を備えたＵ−プロファイル形状を有し、この実施形態において、Ｕ又はチャンネルの脚の間のカセット１１を受容し且つ包むための延長されたＵ−プロファイル若しくはチャンネル形状のコンテナが、好ましくは、緊密に適合した状態にあり、より好ましくは、しっかりと適合した状態にあり、カセットの側及びその隣接する角がしっかりとそれにより包まれることができるようにする。
【００３３】
本発明によるセーファーケース２０は、随意的に、この実施形態において壁若しくは類似のものの上にケース２０を吊り下げるための２つのキー穴形状の開口部２５の形態で、サスペンション装置を備えてもよい。これらの穴２５は、第１ケース形成部分２０ａ上に配置されているが、代わりに他のケース形成部分、すなわち、第２部分２０ｂ上に配置されてもよい。さらに、例えばＤＶＤカセットの長い側を包むセーファー１０の実施形態において、サスペンション装置は図２〜図５、図７〜図８、及び図１０〜図１１にあるような向きにあり、一方例えばＤＶＤカセットの短い側を包むセーファー１０の実施形態において、サスペンション装置はセーファーの長い側の実施形態（示されていない）に対して９０度の向きにある。
【００３４】
さらに、統合されたキャビティ２６、又は、図２〜図３、図４、図５、図７及び図８の波−若しくは歯−形の外形を有する開口部を備えた出っ張りを有する実施形態が示されている。示された実施形態において、出っ張り２６はセーファー１０のバック２３で配置されているが、しかしセーファーの前若しくは任意の側にも配置されることができる。このキャビティ又は出っ張り２６は、キャビティ開口部のプロファイルされた外形によりしっかりと保持される警報装置（示されていない）を備えるように適合される。警報装置は、この種類のセーファーに使用される任意の既知の種類、例えば、電子商品監視（ＥＡＳ）タグであってよく、もし警報タグがデパート又は店の決まった領域から運び出されたなら活性化される警報タグを備え、その警報タグは、その後前記領域から出口にある警報タグが、前記の領域に保持されている電磁場又は静電場を残すか、又は、警報タグと関連して適用されるよく知られた技術によって、出口通路の各側で、１つ置かれたバウの間に保持されるそのような場を通して運ばれるという事実に基づくものである。
【００３５】
さらに、本発明による安全装置１０はプラスチック材料から作られる。１つの実施形態は、非透明プラスチック材料から作られ、別の実施形態は透明プラスチック材料から作られ、並びにさらに別の実施形態は不透明プラスチック材料から作られる。プラスチック材料は例えばポリカーボネート（ＰＣ）又はポリウレタン又は任意の他の適した材料とすることができる。
【００３６】
カセットの角部分を受容するための第１及び第２貯蔵部分２０ａ、２０ｂを備えた、本発明の１つの実施形態において、第１貯蔵部分２０ａは好ましくは統合的に、第１延長ロック部材２、に取り付けられ、第２貯蔵部分２０ｂは好ましくは統合的に、第２延長ロック部材２２に取り付けられ、その中で、前記第１ロック部材２１は前記第２ロック部材２２とスライド可能に接続されて配置され、前記第２ロック部材に及びからスライド可能であり、それにより、第１及び第２貯蔵部分２０ａ、２０ｂの距離を狭くしたり広くしたりし、最大開き／幅広い位置において、カセット１１を貯蔵部分の間に配置し、並びに、最大に狭い位置においてカセットは固定されかつ前記貯蔵部分２０ａ、２０ｂの間／範囲内に保留され、かつそこでロック部材２１、２２はロック装置３０の手段により狭い位置において互いに相対的にロックすることが可能である。第１及び第２ロック部材２１、２２は貯蔵部分２０ａ、２０ｂに取り付けられて、前記ロック部材はカセットの広い／幅広い・側／面に向かうようにする。
本発明の別の実施形態において、セーファー１０は、カセット１１の少なくとも１つのペアの端又は角部を受容するための第１及び第２受容貯蔵２０ａ、２０ｂを備える。
【符号の説明】
【００３７】
１０    安全装置
１１    カセット
２０ａ  第１カセット受容部分
２０ｂ  第２カセット受容部分
２１    部材
２２    雄部材
２３    ケースバック
２４    カセット包み込み部材
２５    開口部
２６    出っ張り
２７    フック
３０    ロック装置
３１    キャビティ
４０    保持装置
【図１】
2010520843.tif 000003
【図２】
2010520843.tif 000004
【図３】
2010520843.tif 000005
【図４】
2010520843.tif 000006
【図５】
2010520843.tif 000007
【図６】
2010520843.tif 000008
【図７】
2010520843.tif 000009
【図８】
2010520843.tif 000010
【図９】
2010520843.tif 000011
【図１０】
2010520843.tif 000012
【図１１】
2010520843.tif 000013
【図１２】
2010520843.tif 000014
【図１３】
2010520843.tif 000015
【図１４−１７】
2010520843.tif 000016
【図１８−２０】
2010520843.tif 000017
【図２２】
2010520843.tif 000018
【図２３】
2010520843.tif 000019
【図２１】
2010520843.tif 000020
【国際調査報告】
2010520843.tif 000021
2010520843.tif 000022
2010520843.tif 000023